(57)【要約】【課題】情報交換方法において、ユーザの操作を簡単にすることを目的とする。【解決手段】第１の移動通信端末装置は自装置のメモリに保存された自装置の交換対象情報を読み出し交換対象情報であることを識別する識別情報を付加して第２の移動通信端末装置に送信し、第２の移動通信端末装置は受信した交換対象情報を自装置のメモリに保存すると共に、受信した交換対象情報に識別情報が付加されていることを解析したとき自装置のメモリに保存された自装置の交換対象情報を読み出して第１の移動通信端末装置に返送し、第１の移動通信端末装置は第２の移動通信端末装置から返送される交換対象情報を受信して自装置のメモリに保存する。【選択図】    図７
2013042431.tif 000002
【特許請求の範囲】
【請求項１】
第１の移動通信端末装置と第２の移動通信端末装置間で交換の対象となる交換対象情報を交換する情報交換方法において、
前記第１の移動通信端末装置は自装置のメモリに保存された自装置の交換対象情報を読み出し前記交換対象情報であることを識別する識別情報を付加して前記第２の移動通信端末装置に送信し、
前記第２の移動通信端末装置は受信した交換対象情報を自装置のメモリに保存すると共に、前記受信した交換対象情報に前記識別情報が付加されていることを解析したとき自装置のメモリに保存された自装置の交換対象情報を読み出して前記第１の移動通信端末装置に返送し、
前記第１の移動通信端末装置は前記第２の移動通信端末装置から返送される交換対象情報を受信して自装置のメモリに保存する
ことを特徴とする情報交換方法。
【請求項２】
請求項１記載の情報交換方法において、
前記第１の移動通信端末装置は、前記第２の移動通信端末装置から返送される交換対象情報を受信するか否かを選択する
ことを特徴とする情報交換方法。
【請求項３】
相手の移動通信端末装置との間で交換の対象となる交換対象情報を交換する移動通信端末装置において、
自装置のメモリに保存された自装置の交換対象情報を読み出し前記交換対象情報であることを識別する識別情報を付加して前記相手の移動通信端末装置に送信する送信手段と、
前記相手の移動通信端末装置から送信される交換対象情報を受信し、受信した前記交換対象情報を前記メモリに保存する受信手段と、
を有することを特徴とする移動通信端末装置。
【請求項４】
請求項３記載の移動通信端末装置において、
前記受信手段で受信した交換対象情報に前記識別情報が付加されているか否かを解析する解析手段と、
前記解析手段で前記識別情報が付加されていることを解析したとき、前記自装置のメモリに保存された自装置の交換対象情報を読み出して前記相手の移動通信端末装置に返送する返送手段と、
を有すること特徴とする移動通信端末装置。
【請求項５】
請求項４記載の移動通信端末装置において、
前記受信手段は、前記相手の移動通信端末装置から返送される交換対象情報を受信するか否かを選択する受信選択手段を
有すること特徴とする移動通信端末装置。
【請求項６】
相手の移動通信端末装置との間で交換の対象となる交換対象情報を交換する際に、
自装置のメモリに保存された自装置の交換対象情報を読み出し前記交換対象情報であることを識別する識別情報を付加して前記相手の移動通信端末装置に送信し、
前記相手の移動通信端末装置から送信される交換対象情報を受信し、受信した前記交換対象情報を前記メモリに保存する、
処理をコンピュータに実行させるプログラム。
【発明の詳細な説明】
【技術分野】
【０００１】
本発明は、移動通信端末装置間で情報の交換を行う情報交換方法及び移動通信端末装置及びプログラムに関する。
【背景技術】
【０００２】
携帯電話機は、当該携帯電話機のユーザの名前、携帯電話番号、メールアドレス等のプロフィール情報を記憶保存できる。また、携帯電話機の電話帳には、通話やメール通信する相手の名前、電話番号、メールアドレス等を記憶保存できる。また、赤外線通信又はブルートゥース（登録商標）等の近距離無線通信手段を備えた携帯電話機も提供されており、このような携帯電話機を双方が所持している場合には、プロフィール情報や電話帳の情報を相互に交換することができる。
【０００３】
図１に従来のプロフィール情報交換の一例のフローチャートを示す。携帯電話機ＡはステップＳ１でプロフィール情報を内蔵メモリから読み出す。なお、携帯電話機Ａを端末Ａと呼ぶこともある。携帯電話機ＡはステップＳ２でプロフィール情報の赤外線送信を行う。携帯電話機ＡはステップＳ３で赤外線送信を完了する。一方、携帯電話機ＢはステップＳ１１で赤外線メニューを起動する。なお、携帯電話機Ｂを端末Ｂと呼ぶこともある。携帯電話機ＢはステップＳ１２でプロフィール情報の赤外線受信を行う。携帯電話機ＢはステップＳ１３で赤外線受信を完了し、携帯電話機ＢはステップＳ１４で受信したプロフィール情報の登録を確認する。
【０００４】
次に、携帯電話機ＢはステップＳ１５でプロフィール情報を内蔵メモリから読み出す。携帯電話機ＢはステップＳ１６でプロフィール情報の赤外線送信を行う。携帯電話機ＢはステップＳ１７で赤外線送信を完了する。一方、携帯電話機ＡはステップＳ４で赤外線メニューを起動する。携帯電話機ＡはステップＳ５でプロフィール情報の赤外線受信を行う。携帯電話機ＡはステップＳ６で赤外線受信を完了する。携帯電話機ＡはステップＳ７で受信したプロフィール情報の登録を確認する。
【０００５】
ところで、携帯電話機間でプロフィール情報や電話帳のデータ交換を行う際に、一方の携帯電話機は他方の携帯電話機にデータを送信した後、自動的に受信モードに切り替える。そして、他方の携帯電話機はデータを受信した後、データを送り返すか否かの選択画面を表示し、データを送り返す選択がなされるとデータを送り返す技術が提案されている（例えば特許文献１参照）。
【先行技術文献】
【特許文献】
【０００６】
【特許文献１】特開２００８−２３６４４４号公報
【発明の概要】
【発明が解決しようとする課題】
【０００７】
図１に示す従来のプロフィール情報交換方法では、まず、携帯電話機Ａのユーザはプロフィール情報を送信する操作を行う。携帯電話機Ｂのユーザはプロフィール情報を受信する操作を行う。携帯電話機Ａのユーザのプロフィール情報の受信完了の確認が携帯電話機Ｂでできた後、携帯電話機Ａ，Ｂのユーザは送信と受信の立場を入れ替える。携帯電話機Ｂのユーザはプロフィール情報を送信する操作を行う。携帯電話機Ａのユーザはプロフィール情報を受信する操作を行う。このように、従来は携帯電話機Ａのユーザと携帯電話機Ｂのユーザそれぞれの操作が煩雑であるという問題があった。
【０００８】
また、特許文献１に記載の技術では、一方の携帯電話機は他方の携帯電話機にデータを送信した後、自動的に受信モードに切り替える。他方の携帯電話機はデータを受信した後、データを送り返すか否かの選択画面を表示する。そして、他方の携帯電話機でデータを送り返す選択がなされると、他方の携帯電話機はデータを送り返すことを行っている。このように、他方の携帯電話機でデータを受信した後、データを送り返すか否かを選択画面にて選択しなければならないため、やはり操作が煩雑であるという問題があった。
【０００９】
開示の情報交換方法は、ユーザの操作を簡単にすることを目的とする。
【課題を解決するための手段】
【００１０】
開示の一実施形態による情報交換方法は、第１の移動通信端末装置と第２の移動通信端末装置間で交換の対象となる交換対象情報を交換する情報交換方法において、
前記第１の移動通信端末装置は自装置のメモリに保存された自装置の交換対象情報を読み出し前記交換対象情報であることを識別する識別情報を付加して前記第２の移動通信端末装置に送信し、
前記第２の移動通信端末装置は受信した交換対象情報を自装置のメモリに保存すると共に、前記受信した交換対象情報に前記識別情報が付加されていることを解析したとき自装置のメモリに保存された自装置の交換対象情報を読み出して前記第１の移動通信端末装置に返送し、
前記第１の移動通信端末装置は前記第２の移動通信端末装置から返送される交換対象情報を受信して自装置のメモリに保存する。
【発明の効果】
【００１１】
本実施形態によれば、情報交換におけるユーザの操作を簡単にすることができる。
【図面の簡単な説明】
【００１２】
【図１】従来のプロフィール情報交換処理の一例のフローチャートを示す図である。
【図２】移動通信端末装置の一実施形態の構成図である。
【図３】電話帳データを示す図である。
【図４】プロフィール情報を示す図である。
【図５】プロフィール情報の交換時のプロフィール情報を示す図である。
【図６】プロフィール情報交換処理のフローチャートである。
【図７】プロフィール情報交換処理のフローチャートである。
【図８】プロフィール情報交換時の全体処理の第１実施形態のフローチャートである。
【図９】プロフィール情報交換時の全体処理の第２実施形態のフローチャートである。
【図１０】赤外線通信におけるプロフィール情報のデータ形式を示す図である。
【図１１】近距離無線通信におけるプロフィール情報のデータ形式を示す図である。
【発明を実施するための形態】
【００１３】
以下、図面に基づいて実施形態を説明する。
【００１４】
＜移動通信端末装置の構成＞
図２は移動通信端末装置の一実施形態の構成図を示す。ここでは移動通信端末装置の一例として携帯電話機を示している。図２において、携帯電話機は、アンテナ１０、無線通信部１１、ベースバンド部１２、ＣＰＵ１３、表示部１４、カメラ部１５、キー部１６、メモリ１７、マイクロホン１８、スピーカ１９、ＡＤ変換部２０、赤外線通信部２１、近距離無線通信部２２を有している。
【００１５】
無線通信部１１はベースバンド部１２から供給される送信信号を変調してアンテナ１０から基地局に送信し、また、アンテナ１０で受信した受信信号を復調してベースバンド部１２に供給する。ベースバンド部１２はＣＰＵ１３から供給される送信信号の符号化を行って無線通信部１１に供給し、また、無線通信部１１から供給される受信信号の復号を行ってＣＰＵ１３に供給する。
【００１６】
ＣＰＵ１３はメモリ１７内のＲＯＭに記憶されている各種処理のプログラムを実行する。送受信信号が音声信号の場合、ＣＰＵ１３はＡＤ変換部２０からの送信信号をベースバンド部１２に供給し、ベースバンド部１２からの受信信号をＡＤ変換部２０に供給する。送受信信号がデータの場合、ＣＰＵ１３はカメラ部１５又はメモリ１７等からの送信データをベースバンド部１２に供給し、ベースバンド部１２からの受信データを表示部１４又はメモリ１７等に供給する。
【００１７】
ＡＤ変換部２０はマイクロホン１８にて変換されたアナログ音声信号をデジタル化してＣＰＵ１３に供給し、また、ＣＰＵ１３から供給されるデジタル音声信号をアナログ化してスピーカ１９に供給して発音させる。
【００１８】
表示部１４は例えば液晶パネルで構成され、ＣＰＵ１３の制御により各種文字情報や画像情報を表示する。カメラ部１５は画像を撮像し、これにより得られた画像信号はＣＰＵ１３に供給され、必要に応じてメモリ１７内のＲＡＭに記憶される。キー部１７は電話番号や文字等の入力を行うテンキー、通話キー、選択キー、決定キー、クリアキー等の各種キーを有しており、キー部１７の入力はＣＰＵ１３に供給される。
【００１９】
赤外線通信部２１は他の携帯電話機の赤外線通信部との間で赤外線により交換対象情報であるプロフィール情報や電話帳情報を含むデータの送受信を行う。また、近距離無線通信部２２は他の携帯電話機の近距離無線通信部との間でブルートゥース（登録商標）等の近距離無線通信によりプロフィール情報や電話帳情報を含むデータの送受信を行う。なお、赤外線通信も無線通信の一種である。
【００２０】
ユーザの名前、携帯電話番号、メールアドレス等を含むプロフィール情報、及び通話やメール通信する相手の名前、電話番号、メールアドレス等を含むの電話帳データはメモリ１７内の不揮発性メモリである例えばＥＥＰＲＯＭに保存される。
【００２１】
プロフィール情報を送信するために、ユーザは表示部１４におけるプロフィール情報表示画面でサブメニューを表示して赤外線通信部２１又は近距離無線通信部２２を選択する。これにより、通信を行う時点でＣＰＵ１３は、プロフィール情報に「プロフィール情報タグ」を付加する。プロフィール情報タグが付加されたプロフィール情報は赤外線通信部２１又は近距離無線通信部２２から送信相手の携帯電話機に送信される。
【００２２】
＜ｖＣａｒｄ＞
携帯電話機における電話帳情報は、ｖＣａｒｄという電子名刺の標準規格で制定されており、携帯電話機のメモリ１７に電話帳を保存する場合にはユーザのプロフィール情報も電話帳情報と同じｖＣａｒｄ形式のテキストデータとして記憶される。なお、ｖＣａｒｄはインターネット技術の標準化団体ＩＥＴＦによってＲＦＣ２４２５，２４２６として勧告されている。
【００２３】
ここで、図３（Ａ）に、名前「あい  うえお」、電話番号「０９０−１１１１−２２２２」、メールアドレス「ａ＠ｘｘｘ．ｊｐ」の電話帳データつまり電話帳情報を示す。また、図３（Ｂ）に、名前「かき  くけこ」、電話番号「０９０−３３３３−４４４４」、メールアドレス「ｂ＠ｙｙｙ．ｊｐ」の電話帳データを示す。また、図３（Ｃ）に、名前「さし  すせそ」、電話番号「０８０−５５５５−６６６６」、メールアドレス「ｃ＠ｚｚｚ．ｊｐ」の電話帳データを示す。更に、図４に、他の移動通信端末装置との間で交換の対象となる交換対象情報であり電話帳情報の一部として保存されるユーザのプロフィール情報を示す。図４のプロフィール情報は、名前「てす  と」、電話番号「０９０−１２３４−５６７８」、メールアドレス「ｔｅｓｔ＠ｄｄｄ．ｊｐ」を有している。
【００２４】
プロフィール情報の交換時には、ＣＰＵ１３は図４に示すユーザのプロフィール情報のデータに「プロフィール情報」と判別するための属性識別用の識別情報としてプロフィール情報タグを付加して送信する。
【００２５】
図５にプロフィール情報タグを付加したユーザのプロフィール情報を示す。図５においては、プロフィール情報の最後尾に、プロフィール情報タグ「ＤＡＴＡ：ＰＲＯＦＩＬＥ」を付加している。
【００２６】
受信側の携帯電話機では、このプロフィール情報タグを読み取ることで、プロフィール情報の受信終了を認識したときに、受信側の携帯電話機では自装置のプロフィール情報を送信するか否かを判断できる。また、送信側の携帯電話機では続けてプロフィール情報の受信を行うか否かを判断できる。
【００２７】
ｖＣａｒｄはテキスト情報であるため、属性識別用の識別情報として「プロフィール情報タグ」を付加することは容易である。付加した識別情報はプロフィール情報交換時にのみ付加して送受信し、交換が終われば削除して通常のｖＣａｒｄデータとして保存することで、既存のデータと同様に扱うことができる。
【００２８】
なお、既存のフォーマット以外のプロフィール情報タグが使われていた場合、プロフィール情報を電話帳に登録するときに、そのプロフィール情報タグ部分は破棄される。このため、本プロフィール情報交換方法に対応していない携帯電話機に対して、プロフィール情報タグを用いたプロフィール情報交換を実施したとしても、プロフィール情報の受信及び登録が可能である。
【００２９】
＜送信側プロフィール情報交換処理のフローチャート＞
図６にプロフィール情報交換時に先に送信する側の携帯電話機においてＣＰＵ１３が実行するプロフィール情報交換処理のフローチャートを示す。このプロフィール情報交換処理のプログラムはメモリ１７に格納されており、メモリ１７から読み出されたプロフィール情報交換処理のプログラムはＣＰＵ１３で実行される。
【００３０】
図６において、ユーザがプロフィール情報交換を指定し、サブメニューを起動して赤外線送信（又は近距離無線送信）を選択する。これにより、ＣＰＵ１３はステップＳ２１でユーザのプロフィール情報の送信であることを認識して、メモリ１７に保存されている図４に示すプロフィール情報を読み出す。
【００３１】
そして、ＣＰＵ１３はステップＳ２２で読み出したプロフィール情報にプロフィール情報タグを付加して図５に示す形態とする。次に、ＣＰＵ１３はステップＳ２３でプロフィール情報タグを付加したプロフィール情報を赤外線送信（又は近距離無線送信）する処理を実行する。
【００３２】
次に、相手の携帯電話機から受信完了の応答があると、ＣＰＵ１３はステップＳ２４で送信完了を認識する。そして、ＣＰＵ１３はステップＳ２５で「送信完了」を表示部１４に表示してユーザに通知する。なお、ステップＳ２５の実行は必須ではなく、省略することも可能である。こののち、ＣＰＵ１３はステップＳ２６で赤外線受信（又は近距離無線受信）待ちの状態に移行する。そして、ＣＰＵ１３はステップＳ２７で一定時間（例えば数秒から数分程度）の受信待機を行う。
【００３３】
その後、相手の携帯電話機からプロフィール情報の赤外線送信（又は近距離無線送信）が開始されると、ＣＰＵ１３はステップＳ２８でプロフィール情報の赤外線受信（又は近距離無線受信）を行う。こののち、ＣＰＵ１３はステップＳ２９で受信したプロフィール情報をメモリ１７の電話帳に保存して赤外線受信（又は近距離無線受信）を完了し、相手の携帯電話機に対し受信完了の応答を行って、この処理を終了する。
【００３４】
＜受信側プロフィール情報交換処理のフローチャート＞
図７にプロフィール情報交換時に先に受信する側の携帯電話機においてＣＰＵ１３が実行するプロフィール情報交換処理のフローチャートを示す。図７において、ユーザがプロフィール情報交換を指定し、サブメニューを起動して赤外線受信（又は近距離無線受信）を選択すると、ＣＰＵ１３はステップＳ３１で受信待機を行う。そして、相手の携帯電話機からプロフィール情報の赤外線送信（又は近距離無線送信）が開始されると、ＣＰＵ１３はステップＳ３２でプロフィール情報の赤外線受信（又は近距離無線受信）を行う。
【００３５】
こののち、ＣＰＵ１３はステップＳ３３で受信したプロフィール情報をメモリ１７の電話帳に書き込んで保存し赤外線受信（又は近距離無線受信）を完了する。なお、プロフィール情報にプロフィール情報タグが付加されていても、電話帳に保存するとき上記プロフィール情報タグは電話帳に書き込まれない。これは、プロフィール情報タグ「ＤＡＴＡ：ＰＲＯＦＩＬＥ」がｖＣａｒｄの標準規格に合っておらず、既存のプロフィール情報の送受信ソフトウェアではｖＣａｒｄの規格に合わないプロフィール情報タグを破棄するためである。
【００３６】
次に、ＣＰＵ１３はステップＳ３４で受信したプロフィール情報にプロフィール情報タグが付加されていたかどうかを解析する。そして、ＣＰＵ１３はステップＳ３５において解析結果からプロフィール情報にプロフィール情報タグが付加されていなければ、この処理を終了する。
【００３７】
一方、プロフィール情報にプロフィール情報にプロフィール情報タグが付加されていれば、ＣＰＵ１３はステップＳ３６でプロフィール情報交換であることを認識する。そして、ＣＰＵ１３はステップＳ３７で自装置のメモリ１７に保存されている図４に示すような自装置のプロフィール情報の読み出しを行う。
【００３８】
こののち、ＣＰＵ１３はステップＳ３８で赤外線送信（又は近距離無線送信）の状態に移行してプロフィール情報を赤外線送信（又は近距離無線送信）する処理を実行する。なお、このステップでは図４に示すプロフィール情報タグの付加されていないプロフィール情報が返送される。そして、相手の携帯電話機から受信完了の応答があると、ＣＰＵ１３はステップＳ３９で送信完了を認識し、この処理を終了する。
【００３９】
＜プロフィール情報交換時の全体処理の第１実施形態＞
図８にプロフィール情報交換時の全体処理の第１実施形態のフローチャートを示す。この実施形態では携帯電話機Ａと携帯電話機Ｂは共にプロフィール情報タグの付加及び識別が可能な場合を示す。なお、携帯電話機Ａを端末Ａと呼び、携帯電話機Ｂを端末Ｂと呼ぶこともある。
【００４０】
図８において、携帯電話機ＡはステップＳ４１でプロフィール情報の読み出しを行ってプロフィール情報を表示部１４に表示する。携帯電話機ＡはステップＳ４２でサブメニューを起動して例えば赤外線送信を選択する。これにより、携帯電話機ＡはステップＳ４３で自装置のプロフィール情報にプロフィール情報タグを付加して赤外線送信を行い、その後の一定時間は受信待機する。
【００４１】
一方、携帯電話機ＢはステップＳ５１でメニュー又はサブメニューを起動して赤外線受信を選択する。携帯電話機ＢはステップＳ５２でプロフィール情報の赤外線受信を行い、受信したプロフィール情報をメモリ１７の電話帳に保存する。なお、この際にプロフィール情報タグは破棄される。
【００４２】
こののち、携帯電話機ＢはステップＳ５３で受信したプロフィール情報にプロフィール情報タグが付加されていたか否かの解析結果により、自装置のプロフィール情報を続けて赤外線送信するか否かを判別する。ここでは、プロフィール情報にプロフィール情報タグが付加されているため、自動的にステップＳ５４に進む。なお、プロフィール情報にプロフィール情報タグが付加されていなければ、携帯電話機Ｂはこの処理を終了する。
【００４３】
携帯電話機ＢはステップＳ５４で自装置のプロフィール情報をメモリ１７から読み出して赤外線送信すなわち返送を行い、ステップＳ５５でプロフィール情報の交換を完了する。なお、この際にプロフィール情報にプロフィール情報タグを付加することはない。
【００４４】
携帯電話機Ａは一定時間の受信待機中に携帯電話機Ｂからの赤外線送信を受信すると、携帯電話機ＡはステップＳ４４でプロフィール情報の赤外線受信を行って受信したプロフィール情報をメモリ１７の電話帳に保存する。そして、携帯電話機ＡはステップＳ４５でプロフィール情報の交換を完了する。このステップＳ４５では、「プロフィール情報交換完了」を表示部１４に表示しても良い。
【００４５】
このように、携帯電話機ＢはステップＳ５３でプロフィール情報にプロフィール情報タグが付加されているか否かにより、自装置のプロフィール情報を続けて送信するか否かを判別する。そして、プロフィール情報タグがある場合に自動的に携帯電話機Ｂはプロフィール情報の赤外線送信を行ってステップＳ５５でプロフィール情報の交換を完了する。このため、携帯電話機Ｂにおけるユーザの余分な操作は不要であり、ユーザの手間を省くことができる。
【００４６】
また、携帯電話機ＡはステップＳ４１でプロフィール情報を表示し、ステップＳ４２で赤外線送信を選択するだけで、自動的に携帯電話機ＡはステップＳ４４で携帯電話機Ｂからのプロフィール情報の赤外線受信を行う。そして、携帯電話機ＡはステップＳ４５でプロフィール情報の交換を完了するため、携帯電話機Ａにおけるユーザの余分な操作は不要であり、ユーザの手間を省くことができる。
【００４７】
また、本実施形態は、携帯電話機Ａにおけるプロフィール情報にプロフィール情報タグが付加して送信する構成を有する。携帯電話機Ｂにおける受信プロフィール情報にプロフィール情報タグが付加されている場合に自装置のプロフィール情報を読み出して携帯電話機Ａに送信するため構成を有する。本実施形態は上記２つの構成を追加するだけで、簡単に実現することができる。
【００４８】
なお、図８に破線で示すように、ステップＳ４３とステップＳ４４の間にステップＳ４７を付加する。携帯電話機ＡはステップＳ４７でプロフィール情報の赤外線送信に続けてプロフィール情報を赤外線受信するか否かを判別する。携帯電話機Ａのユーザが「続けて受信する」を選択したときだけ、携帯電話機Ａは携帯電話機Ｂから赤外線送信されるプロフィール情報の赤外線受信を行う。このような構成とすることも可能である。
【００４９】
＜プロフィール情報交換時の全体処理の第２実施形態＞
図９にプロフィール情報交換時の全体処理の第２実施形態のフローチャートを示す。この実施形態では送信側の携帯電話機Ａはプロフィール情報タグの付加及び識別が可能であるが、受信側の携帯電話機Ｃはプロフィール情報タグの識別が不可能な場合を示す。なお、携帯電話機Ａを端末Ａと呼び、携帯電話機Ｃを端末Ｃと呼ぶこともある。
【００５０】
図９において、携帯電話機ＡはステップＳ６１でプロフィール情報の読み出しを行ってプロフィール情報を表示部１４に表示する。携帯電話機ＡはステップＳ６２でサブメニューを起動して例えば赤外線送信を選択する。これにより、携帯電話機Ａ（端末Ａ）はステップＳ６３で携帯電話機Ａのプロフィール情報にプロフィール情報タグを付加して赤外線送信を行い、その後の一定時間は受信待機する。
【００５１】
一方、携帯電話機ＣはステップＳ７１でメニュー又はサブメニューを起動して赤外線受信を選択する。携帯電話機ＣはステップＳ７２でプロフィール情報の赤外線受信を行い、受信したプロフィール情報をメモリ１７の電話帳に保存する。なお、この際にプロフィール情報タグは破棄される。携帯電話機Ｃはプロフィール情報に付加されたプロフィール情報タグの識別が不可能であるため、ステップＳ７３でプロフィール情報の赤外線受信を完了する。携帯電話機ＣはステップＳ７４で受信したプロフィール情報を表示部１４に表示してプロフィール情報の登録つまり保存を確認し、この処理を終了する。
【００５２】
携帯電話機Ａは一定時間の受信待機中に携帯電話機Ｃからの赤外線送信がないため、ステップＳ６４でタイムアウトする。そして、携帯電話機ＡはステップＳ６５でプロフィール情報の送信を終了する。このステップＳ６５では、「プロフィール情報送信完了」を表示部１４に表示しても良い。
【００５３】
このように、受信側の携帯電話機でプロフィール情報タグの識別が不可能な場合は、手間はかかるものの、従来通り、プロフィール情報の交換を行うことができる。
【００５４】
なお、図９に破線で示すように、ステップＳ６３とステップＳ６４の間にステップＳ６７を付加する。携帯電話機ＡはステップＳ６７でプロフィール情報の赤外線送信に続けてプロフィール情報を赤外線受信するか否かを判別する。携帯電話機Ａのユーザが「続けて受信する」を選択したときだけ、携帯電話機Ａは携帯電話機Ｃから送信されるプロフィール情報の赤外線受信を行う。このような構成とすることも可能である。
【００５５】
＜通信時のデータ形式＞
図１０に赤外線通信におけるプロフィール情報のデータ形式を示す。図１０（Ａ）に実線で囲んで示すｖＣａｒｄデータのプロフィール情報をメモリ１７から読み出し、このｖＣａｒｄデータのプロフィール情報に、破線で囲んで示すプロフィール情報タグ「ＤＡＴＡ：ＰＲＯＦＩＬＥ」を付加する。
【００５６】
次に、プロフィール情報タグを付加したプロフィール情報を赤外線通信用に複数のパケットに分割してパケット化する。各パケットは、図１０（Ｂ）に示すように、開始フラグと、分割されたプロフィール情報タグを含むプロフィール情報が格納されるペイロードと、誤り訂正用のチェックサムと、終了フラグを有している。
【００５７】
受信側では、図１０（Ｂ）に示す複数のパケットを受信して、各パケットのペイロードからプロフィール情報タグを付加したプロフィール情報を解析し、図１０（Ｃ）に示すように、プロフィール情報タグを破棄したｖＣａｒｄデータのプロフィール情報をメモリ１７の電話帳に保存する。
【００５８】
図１１に近距離無線通信におけるプロフィール情報のデータ形式を示す。図１１（Ａ）に実線で囲んで示すｖＣａｒｄデータのプロフィール情報をメモリ１７から読み出し、このｖＣａｒｄデータのプロフィール情報に、破線で囲んで示すプロフィール情報タグ「ＤＡＴＡ：ＰＲＯＦＩＬＥ」を付加する。
【００５９】
次に、プロフィール情報タグを付加したプロフィール情報を近距離無線通信用に複数のパケットに分割してパケット化する。各パケットは、図１１（Ｂ）に示すように、アクセスコードと、ヘッダと、分割されたプロフィール情報タグを含むプロフィール情報が格納されるペイロードを有している。
【００６０】
受信側では、図１１（Ｂ）に示す複数のパケットを受信して、各パケットのペイロードからプロフィール情報タグを付加したプロフィール情報を解析し、図１１（Ｃ）に示すように、プロフィール情報タグを破棄したｖＣａｒｄデータのプロフィール情報をメモリ１７の電話帳に保存する。
【符号の説明】
【００６１】
１０  アンテナ
１１  無線通信部
１２  ベースバンド部
１３  ＣＰＵ
１４  表示部
１５  カメラ部
１６  キー部
１７  メモリ
１８  マイクロホン
１９  スピーカ
２０  ＡＤ変換部
２１  赤外線通信部
２２  近距離無線通信部
【図１】
2013042431.tif 000003
【図２】
2013042431.tif 000004
【図３】
2013042431.tif 000005
【図４】
2013042431.tif 000006
【図５】
2013042431.tif 000007
【図６】
2013042431.tif 000008
【図７】
2013042431.tif 000009
【図８】
2013042431.tif 000010
【図９】
2013042431.tif 000011
【図１０】
2013042431.tif 000012
【図１１】
2013042431.tif 000013